(57)【特許請求の範囲】
【請求項１】
カメラボディーに固定され周面にカム溝を有している固定筒と、前記固定筒の内側に配置され周面に第１カム溝と第２カム溝と前記固定筒のカム溝に嵌合したピンとを有していてモータによって回転されたとき前記固定筒のカム溝に導かれ光軸に沿って繰り出し・繰り込み作動を行う第１作動と該繰り出し位置で回転だけする第２作動とを行う回転筒と、前記回転筒の内側に配置され光軸と略平行に第１長孔と第２長孔とを有していて前記第１作動のときは前記回転筒と共に光軸に沿って作動し前記第２作動のときは回転も光軸に沿った作動もしない中間筒と、前記中間筒の内側に配置され内部には第１群のレンズを有し周面には前記第１長孔を貫通して前記第１カム溝に嵌合したピンを有していて前記回転筒によって光軸に沿って移動されるとき前記回転筒に対して移動する領域が前記第１作動の場合と前記第２作動の場合とでは異なる直進筒と、前記中間筒の内側に配置され内部には第２群のレンズを取り付け周面には前記第２長孔を貫通し前記第２カム溝に嵌合したピンを有していて前記回転筒によって光軸に沿って移動させられるレンズ枠と、前記直進筒に対し光軸を中心にして回転するように取り付けられたバリア作動部材と、前記バリア作動部材の往復回転に対応し前記第１群のレンズ面を覆う位置と退去位置との間を作動するバリア板と、前記中間筒に取り付けられていて前記第１作動のときだけ前記バリア作動部材に接触して回転させ前記回転筒の繰り出し位置では前記バリア板が前記退去位置を維持するようにするバリア連結部材と、を備えていて、前記回転筒が前記第２作動をするときに前記直進筒が移動する領域は、前記バリア板を前記第１群のレンズ面を覆う位置と退去位置との間で作動させるように前記回転筒が作動するときに前記直進筒が移動する領域よりも、常に被写体側であるようにしたことを特徴とするズームレンズを備えた沈胴式カメラ。
【請求項２】
前記バリア連結部材が、可撓性のフック部を有していて、該フック部を係合させることによって前記中間筒に取り付けられていることを特徴とする請求項１に記載のズームレンズを備えた沈胴式カメラ。
【請求項３】
前記直進筒が前記バリア連結部材の案内部を有していて、前記バリア作動部材と前記バリア連結部材との接触が適正に行われるようにしたことを特徴とする請求項１又は２に記載のズームレンズを備えた沈胴式カメラ。
【発明の詳細な説明】
【０００１】
【発明の属する技術分野】
本発明は、カメラの不使用時には、内蔵されているバリア板が撮影レンズの前面を覆っていて、カメラを使用可能状態にすると、撮影レンズの前面から自動的に退去するようにしたズームレンズを備えた沈胴式カメラに関する。
【０００２】
【従来の技術】
最近では、多くのカメラにレンズバリア装置が設けられるようになり、フィルムを使用するカメラに限らず、デジタルカメラにも採用されている。また、撮影レンズの前面を覆うバリア板は、１枚であっても機能するが、通常は、カメラの使用時におけるバリア板の収納スペースを考え、複数枚で構成されるのが普通になっている。他方、カメラの中には沈胴式と称されているカメラがある。このカメラは、不使用時には、レンズ鏡胴がカメラボディー内に繰り込まれていて、使用したいときにはカメラボディー内から繰り出される構成となっているため、この種のカメラにレンズバリア装置を採用したものは、その殆どが、その繰り出し・繰り込み作動に連動して、バリア板が自動的に作動させられるようになっている。
【０００３】
更に、最近では、ズームレンズを備えたカメラが多くなっているが、この種のカメラの場合には、どうしてもレンズ鏡胴が長くなるため、カメラを携帯したり保管したりする場合に不便である。そのため、カメラの不使用時には、レンズ鏡胴の一部又は全てをカメラボディー内に繰り込み、使用したいときには繰り出すようにしたものが多い。そして、このようなズームレンズを備えた沈胴式のカメラの場合にも、繰り出し・繰り込み作動に連動して、バリア板が自動的に作動させられるようにすることが知られている。本発明は、そのようなズームレンズのバリア装置を備えた沈胴式カメラに関する。
【０００４】
【発明が解決しようとする課題】
ところで、最近の沈胴式カメラの場合は、モータを駆動源としてレンズ鏡胴の繰り出し・繰り込みを行なうのが普通である。また、ズームレンズを備えたカメラの場合は、モータを駆動源としてズーミング作動を行なわせるのが普通である。そのため、ズームレンズを備えた沈胴式カメラの場合には、第１のモータによって、レンズ鏡胴の繰り出し・繰り込みを行ない、且つそれに連動してレンズバリア装置も作動させるようにし、レンズ鏡胴が繰り出し位置にあるときには、第２のモータによってズーミング作動を行わせるようにしたものが知られている。これは、一つのモータによって、上記の全ての機能が得られるようにしようとすると、ズーミング作動を行わせているときに、繰り出し・繰り込み機構やバリア装置が作動してしまわないようにする構成が極めて複雑になってしまうからである。
【０００５】
本発明は、このような問題点を解決するためになされたものであり、その目的とするところは、レンズ鏡胴の繰り出し・繰り込み作動と、レンズバリア装置の作動と、ズーミング作動とを、切換え機構などを用いることなく一つのモータによって行えるようにした、ズームレンズを備えた沈胴式カメラを提供することである。
【０００６】
【課題を解決するための手段】
上記の目的を達成するために、本発明におけるズームレンズを備えた沈胴式カメラは、カメラボディーに固定され周面にカム溝を有している固定筒と、前記固定筒の内側に配置され周面に第１カム溝と第２カム溝と前記固定筒のカム溝に嵌合したピンとを有していてモータによって回転されたとき前記固定筒のカム溝に導かれ光軸に沿って繰り出し・繰り込み作動を行う第１作動と該繰り出し位置で回転だけする第２作動とを行う回転筒と、前記回転筒の内側に配置され光軸と略平行に第１長孔と第２長孔とを有していて前記第１作動のときは前記回転筒と共に光軸に沿って作動し前記第２作動のときは回転も光軸に沿った作動もしない中間筒と、前記中間筒の内側に配置され内部には第１群のレンズを有し周面には前記第１長孔を貫通して前記第１カム溝に嵌合したピンを有していて前記回転筒によって光軸に沿って移動されるとき前記回転筒に対して移動する領域が前記第１作動の場合と前記第２作動の場合とでは異なる直進筒と、前記中間筒の内側に配置され内部には第２群のレンズを取り付け周面には前記第２長孔を貫通し前記第２カム溝に嵌合したピンを有していて前記回転筒によって光軸に沿って移動させられるレンズ枠と、前記直進筒に対し光軸を中心にして回転するように取り付けられたバリア作動部材と、前記バリア作動部材の往復回転に対応し前記第１群のレンズ面を覆う位置と退去位置との間を作動するバリア板と、前記中間筒に取り付けられていて前記第１作動のときだけ前記バリア作動部材に接触して回転させ前記回転筒の繰り出し位置では前記バリア板が前記退去位置を維持するようにするバリア連結部材と、を備えていて、前記回転筒が前記第２作動をするときに前記直進筒が移動する領域は、前記バリア板を前記第１群のレンズ面を覆う位置と退去位置との間で作動させるように前記回転筒が作動するときに前記直進筒が移動する領域よりも、常に被写体側であるようにする。
【０００７】
その場合、前記バリア連結部材が、可撓性のフック部を有していて、該フック部を係合させることによって前記中間筒に取り付けられているようにすると、コスト的に有利となる。また、前記直進筒が前記バリア連結部材の案内部を有していて、前記バリア作動部材と前記バリア連結部材との接触が適正に行われるようにすると、機能上は勿論のこと鏡胴内のスペース効果も好適になる。
【０００８】
【発明の実施の形態】
本発明の実施の形態を、図示した実施例によって説明する。尚、実施例は本発明をズームレンズを備えた沈胴式のデジタルカメラに適用したものであって、図１はカメラの不使用状態（沈胴状態）を示した断面図であり、図２は被写体側から見て図１の状態におけるバリア装置（バリア板の作動機構）を示した平面図である。また、図３は図１の状態において固定筒の内側から見た展開図であり、図４は中間筒の内側から見た回転筒と中間筒の展開図である。そして、図５（ａ）〜（ｃ）はバリア作動部材とバリア連結部材との伝達構成を説明するための図である。また、図６は撮影レンズを標準撮影位置に繰り出した状態を示す断面図であり、図７はその状態を図２と同じようにして見た平面図である。更に、図８は撮影レンズをワイド撮影位置へ移動させた状態を示す断面図であり、図９はテレ撮影位置へ移動させた状態を示す断面図である。
【０００９】
先ず、主に図１〜図６を用いて本実施例の構成を説明する。図１に示されているように、ＣＣＤなどの撮像素子を備えた撮像装置１は、適宜な手段によって図示していないカメラボディーに取り付けられている。また、撮像装置１の被写体側に配置されているカバー枠２は、やはりカメラボディーに取り付けられていて、そのカバー枠２には固定筒３が一体的に取り付けられている。そして、カバー枠２には、撮像装置１の前面に配置されたローパスフィルタ４が取り付けられている。図３は固定筒３の内側から視た展開図の一部であるが、固定筒３の内周面には、等間隔の角度位置に同一形状の三つのカム溝３ａが形成されている。また、固定筒３には、光軸と平行に二つのキー溝３ｂが形成されているが、図１および図３においては一つだけを示している。
【００１０】
カバー枠２には、適宜な手段によってモータ５が取り付けられており、その出力軸に形成された雄ねじは、レンズ枠６の雌ねじに螺合している。また、このレンズ枠６は、第３群のレンズ７を取り付けており、図６に示したように、このレンズ枠６に形成されている孔が、カバー枠２に立設された軸２ａに嵌合している。そのため、このレンズ枠６は、モータ５が正転又は逆転すると、光軸に沿って移動され、レンズ７によってピント合わせが行なわれるようになっている。更に、図６に示されているように、カバー枠２には軸２ｂが立設されていて、その先端を固定筒３の孔に嵌合させている。そして、その軸２ｂには、図示していない他のモータによって回転させられる歯車８が回転可能に取り付けられている。
【００１１】
図１に示されているように、固定筒３の内側に配置された回転筒９は、撮像装置１側の端部に、二つの部分歯車９ａ，９ｂを有している。そのうち、一方の部分歯車９ａは、図示していない伝達機構を介してファインダ光学系に連結されており、他方の部分歯車９ｂは上記の歯車８に噛合している。また、この回転筒９の外周面には、等間隔の角度位置に三つのピン９ｃが設けられていて、固定筒３に設けられた上記のカム溝３ａに夫々嵌合している。そのため、この回転筒９は、光軸を中心にして回転すると、カム溝３ａによって光軸に沿った方向へも移動させられるようになっている。更に、回転筒９の内周面には、２種類のカム溝が、等間隔の角度位置に三つずつ形成されているが、それらについては、図４を用いて後述する。
【００１２】
回転筒９の内側には、中間筒１０が配置されている。そして、この中間筒１０は、回転筒９が回転させられると、光軸に沿って直線的に移動するように構成されている。即ち、図４は、回転筒９と中間筒１０を、中間筒１０の内側から視た展開図であるが、中間筒１０の被写体側には、等間隔の角度位置に可撓性を有する三つのフック部１０ａが形成されていて、回転筒９の内面に円周状に形成された溝９ｄに嵌合している。また、中間筒１０の撮像装置側に二つのキー１０ｂが形成されていて、固定筒３に形成されたキー溝３ｂに嵌合している（図１及び図３参照）。従って、中間筒１０は、回転筒９が歯車８によって回転させられながら光軸に沿って移動するとき、固定筒３のキー溝３ｂに案内され、光軸に沿って直線的に移動させられるようになっている。
【００１３】
図４から分かるように、回転筒９の内周面には、上記したように、形状の異なる２種類のカム溝が、等間隔の角度位置に三つずつ形成されている。即ち、被写体側には同一形状の三つのカム溝９ｅが形成され、撮像装置側には、それらとは異なる形状をした三つのカム溝９ｆが形成されている。また、中間筒１０には、長さの異なる２種類の長孔１０ｃ，１０ｄが、等間隔の角度位置に三つずつ形成されているが、図４には、それらのうちの二つずつが示されている。更に、中間筒１０には、開口部１０ｅが形成されている。そして、この開口部１０ｅは、その長辺の端面は光軸に対して垂直に形成されているが、その短辺の端面は、図２に示されているように、外周方向へ広がる斜面として形成されている。
【００１４】
図１において、レンズ枠１１には、第２群のレンズ１２とシャッタ１３が取り付けられている。そして、このレンズ枠１１の外周には、等間隔の角度位置に三つのピン１１ａ（図１には一つだけ図示）が設けられていて、それらは、図４に示すように、中間筒１０の長孔１０ｄに挿入され、先端を回転筒９のカム溝９ｆに嵌合させている。また、第１群のレンズ１４を取り付けたレンズ枠１５は、直進筒１６に取り付けられている。そして、その直進筒１６の外周には、等間隔の角度位置に三つのピン１６ａ（図６に一つだけ図示）が設けられていて、それらは、図４に示すように、中間筒１０の長孔１０ｃに挿入され、先端を回転筒９のカム溝９ｅに嵌合させている。
【００１５】
本実施例のバリア室は、図示していない手段によって相互に取り付けられている地板１７とカバー板１８の間に構成されている。そして、被写体側に配置されている地板１７が直進筒１６の被写体側の部位に固定されており、バリア室内には４枚のバリア板１９，２０，２１，２２が配置されている。図２は、そのような地板１７とカバー板１８の図示を省略して被写体側から視た平面図であるが、バリア板１９，２０は地板１７の軸１７ａに回転可能に取り付けられ、バリア板２１，２２は地板１７の軸１７ｂに回転可能に取り付けられている。また、バリア板２０，２２はピン２０ａ，２２ａを有しているが、それらのピン２０ａ，２２ａは、各々表裏に同軸的に設けられたピンであって、撮像装置側の先端部は、カバー板１８に設けられた図示していない開口部から室外へ突き出ている。
【００１６】
また、上記の軸１７ａ，１７ｂには、ばね２３，２４が巻回されていて、一方のばね２３は、その一端をバリア板２０に掛け、他端をカバー板１８のばね掛け部１８ａに掛けている。また、他方のばね２４は、その一端をバリア板２２に掛け、他端をカバー板１８のばね掛け部１８ｂに掛けている。そのため、図２において、バリア板２０，２２は、ばね２３，２４によって反時計方向へ回転するように付勢されており、ピン２０ａ，２２ａによってバリア板１９，２１を反時計方向へ回転させようとしているが、バリア板１９，２１の先端が、地板１７に設けられた図示していないストッパに当接し、この状態が保たれている。
【００１７】
バリア作動部材２５は、カバー板１８の撮像装置側に配置されていて、直進筒１６に対して、所定の角度範囲内で回転可能に取り付けられている。図２から分かるように、このバリア作動部材２５はリング状をしていて、直進筒１６との間に掛けられたばね２６の付勢力によって反時計方向へ回転され、直進筒１６に設けられた図示していないストッパによって停止させられるようになっている。しかし、この図２は、ばね２６の付勢力に抗して時計方向へ回転させられている状態を示したものである。それによって、バリア作動部材２５の押動部２５ａ，２５ｂがピン２０ａ，２２ａから離れているため、バリア板１９，２０とバリア板２１，２２とは、ばね２３，２４によって反時計方向へ回転させられ、第１群のレンズ１４の前面を覆っている。尚、ばね２６の付勢力は、ばね２３，２４の付勢力よりも大きい。
【００１８】
バリア作動部材２５には、同一形状の三つの取付孔２５ｃと一つの係合部２５ｄが設けられている。取付孔２５ｃは、バリア作動部材２５を直進筒１６に取り付けるためのものであって、各々、略四角い孔部とそれに連なる細長い円弧状の孔部とでＬ字状に形成されている。そして、直進筒１６に取り付ける場合は、直進筒１６に設けられた図示していないフック部の頭部を略四角い孔部に挿入させ、バリア作動部材２５を反時計方向へ回転させるようにする。そうすると、そのフック部の頭部が、円弧状の孔部に沿って形成された肉薄部に係合するので、バリア作動部材２５は、円弧状の孔部の範囲内で回転している限り、直進筒１６から外れない。他方、係合部２５ｄは、図５（図２の上方から視た図）に示されているように、撮像装置側に突き出た先端に、カム作用を行なうための斜面が形成されている。
【００１９】
図５には、バリア連結部材２７の平面形状が示されている。このバリア連結部材２７は、可撓性の二つのフック部２７ａを有していて、図２に示すように、それらを中間筒１０の開口部１０ｅに係合させている。また、図１に示すように、このバリア連結部材２７は、直進筒１６に形成されたガイド孔に配置されており、中間筒１０と一緒に光軸に沿った方向へ安定して移動できるように規制されている。そして、このバリア連結部材２７にも、その先端にカム作用を行なう斜面が形成されていて、上記のバリア作動部材２５の係合部２５ｄに形成された斜面と接離し得るようになっている。
【００２０】
次に、本実施例の作動を説明する。図１及び図２は、撮影レンズの沈胴状態を示していて、明示していないが、カメラボディーの前面は、図１の左端に一点鎖線で示した位置である。そして、固定筒３のカム溝３ａに嵌合した回転筒９のピン９ｃは、図３に示した位置にある。また、回転筒９のカム溝９ｅに嵌合した直進筒１６のピン１６ａと、回転筒９のカム溝９ｆに嵌合したレンズ枠１１のピン１１ａは、図４に示す位置にある。更に、このとき、カメラボディー内への直進筒１６の繰り込み量が、回転筒９と中間筒１０の繰り込み量より大きいため、バリア作動部材２５の係合部２５ｄとバリア連結部材２７とは、図５（ａ）に示す接触状態となっている。即ち、このとき、バリア作動部材２５は、図２に示すように、ばね２６に抗して時計方向へ所定の角度だけ回転させられており、その結果、バリア板１９，２０，２１，２２が、ばね２３，２４によって反時計方向へ回転され、レンズ１４の前面を覆っている。
【００２１】
カメラを使用するに際して電源をオンにすると、撮影レンズが繰り出されていくことになるが、本実施例の場合には、テレ（最望遠）撮影位置とワイド（最広角）撮影位置との間に標準撮影位置が定められていて、撮影レンズは、先ず、その標準撮影位置まで繰り出されていくことになる。そして、その作動は、図示していないモータが、図６に示された歯車８を介して、回転筒９を回転させることによって行なわれる。即ち、モータが順方向に回転され、回転筒９が、被写体側から見て時計方向へ回転させられると、図３から分かるように、そのピン９ｃが固定筒３のカム溝３ａの斜面に案内されて、被写体側へ移動されていく。従って、この移動のときは中間筒１０も被写体側に移動させられる。そして、回転筒９は、その被写体側への移動が終了した後も回転させられ、ピン９ｃがＣ位置を通過しＢ位置となったときに停止させられる。
【００２２】
このようにして、ピン９ｃが図３においてＢ位置に達するまでの間、回転筒９は、他の部材を作動させている。即ち、回転筒９が、被写体側から見て時計方向へ回転を開始すると、図４から分かるように、直進筒１６は、そのピン１６ａが回転筒９のカム溝９ｅに案内され、Ｃ位置に達する直前までは、回転筒９に対して被写体側へ移動されていく。他方、レンズ枠１１は、そのピン１１ａが回転筒９のカム溝９ｆに案内され、Ｃ位置に達する直前までは、回転筒９に対して撮像装置側に移動させられていく。従って、第１群のレンズ１４と第２群のレンズ１２の間隔が大きくなってゆき、ピン１６ａ，１１ａが夫々のＣ位置の直前に達したときに、その間隔は最大となる。そして、その後は、レンズ１４，１２の間隔が小さくなってゆき、回転筒９の回転がピン９ｃのＢ位置で停止したとき、直進筒１６とレンズ枠１１も、それらのピン１６ａ，１１ａのＢ位置で停止する。図６は、このようにして標準撮影位置にセットされた状態を示している。
【００２３】
ところで、このようにして行なわれる作動中に、レンズ１４を覆っていたバリア板１９，２０，２１，２２が、レンズ１４の前面から退去させられる。即ち、上記したように、作動開始後に、直進筒１６は、回転筒９に対して被写体側へ移動していく。そのため、直進筒１６に取り付けられているバリア作動部材２５と、回転筒９と一緒に移動している中間筒１０との相対位置も変化し、図５（ａ）に示されているバリア作動部材２５とバリア連結部材２７が、相対的に左右に離れていくことになる。ところが、このとき、バリア作動部材２５は、ばね２６によって付勢されているため、光軸に沿って移動するだけではなく、被押動部２５ｄの斜面をバリア連結部材２７の斜面に接触させたまま、図２において反時計方向へ回転していく。
【００２４】
従って、バリア作動部材２５は、押動部２５ａ，２５ｂにより、ばね２３，２４の付勢力に抗してバリア板２０，２２のピン２０ａ，２２ａを押し、該ピン２０ａ，２２ａがバリア板１９，２１を押すことによってレンズ１４の前面を開放していく。そして、このようにして行なわれるバリア板１９，２０，２１，２２の退去作動は、図４において、直進筒１６のピン１６ａがＡ位置に達するまでの間で行なわれ、図５（ｂ）と図７はその作動終了状態を示している。その後、直進筒１６のピン１６ａは、上記したように、Ｃ位置を経てＢ位置に達するが、カム溝９ｅ内において、Ａ位置よりも撮像装置側になることがないので、バリア作動部材２５は、図７の状態が維持される。そして、この状態で撮影する場合には、先ず、モータ５によってピント合わせが行なわれた後、シャッタ１３の開閉作動が行なわれる。
【００２５】
その後、撮影レンズを標準撮影位置からワイド撮影位置側へ制御したい場合は、図示していないモータを逆回転させて回転筒９を、被写体側から見て反時計方向へ回転させる。そして、所定の位置で停止させることになるが、最も広角なワイド位置（図３におけるピン９ｃのＣ位置）で停止された状態が、図８に示されている。このとき、直進筒１６のピン１６ａもレンズ枠１１のピン１１ａも、図４において夫々のＣ位置にあるため、第１群のレンズ１４と第２群のレンズ１２との間隔は最大となっている。また、既に説明したように、ピン１６ａは、Ｂ位置とＣ位置との間において、Ａ位置よりも撮像装置側になることはないので、その間のどの位置で停止しても、バリア板１９，２０，２１，２２の退去状態は確実に維持されている。
【００２６】
また、撮影レンズを標準撮影位置からテレ撮影位置側へ制御したい場合は、図示していないモータを順方向へ回転させ、回転筒９を、被写体側から見て時計方向へ回転させる。そして、所定の位置で停止させることになるが、最も望遠となるテレ位置（図３におけるピン９ｃのＤ位置）で停止させた状態が、図９に示されている。このとき、直進筒１６のピン１６ａもレンズ枠１１のピン１１ａも、図４において夫々のＤ位置にあるため、第１群のレンズ１４と第２群のレンズ１２との間隔は略図１の場合と同じになっている。また、直進筒１６のピン１６ａは、Ｂ位置とＤ位置との間において、Ａ位置よりも撮像装置側になることはないので、その間のどの位置で停止しても、バリア板１９，２０，２１，２２の退去状態は確実に維持されている。そして、図５（ｃ）は、この状態におけるバリア作動部材２５とバリア連結部材２７との相対的な関係位置を示したものである。
【００２７】
その後、撮影をする意思がなくなり、カメラの電源をオフにすると、所定の時間だけ、図示していないモータが逆転し得るようになっていて、回転筒９が被写体側から見て反時計方向へ回転させられる。そして、その回転筒９は、ピン９ｃがＣ位置を過ぎてからは、回転しながら撮像装置側にも移動されていく。また、同時に、回転筒９のカム溝９ｅ，９ｆによって直進筒１６とレンズ枠１１も光軸に沿って移動されるが、直進筒１６の場合は、そのピン１６ａがＣ位置を過ぎた直後から、回転筒９に対して撮像装置側へ移動していく。そのため、当然のことながら、直進筒１６がカメラボディー（固定筒３）内に繰り込まれていく速さは、回転筒９よりも速いことになる。
【００２８】
その結果、直進筒１６と一緒に移動しているバリア作動部材２５と、回転筒９と一緒に移動している中間筒１０に取り付けられたバリア連結部材２７との間隔が小さくなってゆき、直進筒１６のピン１６ａがＡ位置を過ぎた直後には、バリア作動部材２５の係合部２５ｄに形成された斜面がバリア連結部材２７に形成された斜面に接触する。そして，その後は、斜面同士の接触によるカム作用で、バリア作動部材２５が、ばね２６の付勢力に抗し、図７において時計方向へ回転されていく。そのため、ばね２３，２４の付勢力によって、バリア板２０，２２が、そのピン２０ａ，２２ａをバリア作動部材２５の押動部２５ａ，２５ｂに追従させて反時計方向へ回転し、その途中からは、ピン２０ａ，２２ａによってバリア板１９，２１を反時計方向へ回転させていく。そして、バリア板１９，２０，２１，２２がレンズ１４の前面を覆い、バリア板１９，２１が図示していないストッパに当接して停止した直後に、図示していないセンサによってモータが停止され、図１及び図２に示された状態に復帰する。
【００２９】
尚、本実施例においては、中間筒１０を低コスト化を図るため、バリア連結部材２７に設けられた可撓性のフック部２７ａによって、バリア連結部材２７を中間筒１０に取り付けているが、本発明は、このような構成に限定されず、他の手段によって取り付けても差し支えない。また、実施例においては、バリア板を４枚備えているが、本発明は、２枚であっても１枚であっても構わないし、それらのバリア板を、地板１７ではなく、カバー板１８に取り付けても差し支えない。更に、上記の実施例は、本発明をデジタルカメラに適用したものであるが，当然のことながら、本発明は、フィルム使用のカメラにも適用することが可能である。
【００３０】
【発明の効果】
以上のように、本発明は、一つのモータの回転方向と回転量を制御することによって、撮影用のズームレンズを内蔵している回転筒の繰り出し・繰り込み作動と、レンズバリア装置の作動と、ズーミング作動とを行えるようにしたので、機能的に極めて優れたものである。また、モータが一つであることは勿論のこと、全体の部品点数が少ないため、低コスト化の点からもコンパクト化の点からも極めて有利なものである。
【図面の簡単な説明】
【図１】カメラの不使用状態（撮影レンズの沈胴状態）における実施例を示した断面図である。
【図２】被写体側から見て図１の状態におけるバリア板の作動機構を示した平面図である。
【図３】図１の状態において固定筒の内側から見た展開図である。
【図４】図１の状態において中間筒の内側から見た回転筒と中間筒の展開図である。
【図５】図５（ａ）〜図５（ｃ）は、実施例におけるバリア作動部材とバリア連結部材との伝達構成を説明するための図である。
【図６】撮影レンズを図１の状態から標準撮影位置に繰り出した状態を示す断面図である。
【図７】図６と同じ状態を図２と同じようにして見た平面図である。
【図８】撮影レンズを図６の状態からワイド撮影位置へ移動させた状態を示す断面図である。
【図９】撮影レンズを図６の状態からテレ撮影位置へ移動させた状態を示す断面図である。
【符号の説明】
１                      撮像装置
２                      カバー枠
２ａ，２ｂ，１７ａ，１７ｂ  軸
３                      固定筒
３ａ，９ｅ，９ｆ        カム溝
４                      ローパスフィルタ
５                      モータ
６                      取付部材
６，１１，１５          レンズ枠
７，１２，１４          レンズ
８                      歯車
９                      回転筒
９ａ，９ｂ              部分歯車
９ｃ，１１ａ，１６ａ，２０ａ，２２ａ  ピン
９ｄ                    溝
１０                    中間筒
１０ａ，２７ａ          フック部
１０ｂ                  キー
１０ｃ，１０ｄ          長孔
１０ｅ                  開口部
１３                    シャッタ
１６                    直進筒
１７                    地板
１８                    カバー板
１８ａ，１８ｂ          ばね掛け部
１９，２０，２１，２２  バリア板
２３，２４，２６        ばね
２５                    バリア作動部材
２５ａ，２５ｂ          押動部
２５ｃ                  取付孔
２５ｄ                  係合部
２７                    バリア連結部材
【図１】
0004931300.tif 000002
【図２】
0004931300.tif 000003
【図３】
0004931300.tif 000004
【図４】
0004931300.tif 000005
【図５】
0004931300.tif 000006
【図６】
0004931300.tif 000007
【図７】
0004931300.tif 000008
【図８】
0004931300.tif 000009
【図９】
0004931300.tif 000010